(57)【要約】【課題】施工時に追焚配管の往き戻りを確認せずに接続してもドレンが浴槽内に排出されず、かつ小型化できるドレン排出ユニットおよびそれを備えたドレン排出装置を提供する。【解決手段】ドレン排出ユニットは第１および第２の三方弁３１、３２とシール保持部材３３とを備えている。第１の三方弁３１の第１および第２の継手Ｊ１、Ｊ２のいずれか一方に第１の配管４２ａが接続可能であり、他方に往き配管２７ａおよび戻り配管２７ｂのいずれか一方が接続可能である。第２の三方弁３２の第３および第４の継手Ｊ３、Ｊ４のいずれか一方に第２の配管２７ｂが接続可能であり、他方に往き配管２７ａおよび戻り配管２７ｂのいずれか他方が接続可能である。シール保持部材３３は、第１の排出継手Ｄ１および第２の排出継手Ｄ２の各々に連通する孔３３ａを有し、かつ孔３３ａに連通するドレン排出路３ｂを有する。【選択図】図１
2015025598.tif 000002
【特許請求の範囲】
【請求項１】
往き配管および戻り配管を有する潜熱回収型の風呂給湯器と浴槽との間で湯水を循環させるための第１および第２の配管を含む追焚配管に接続されるドレン排出ユニットであって、
第１および第２の継手ならびに第１の排出継手を有し、前記第１および第２の継手のいずれか一方に前記第１の配管が接続可能であり、前記第１および第２の継手のいずれか他方に前記往き配管および戻り配管のいずれか一方が接続可能な第１の三方弁と、
第３および第４の継手ならびに第２の排出継手を有し、前記第３および第４の継手のいずれか一方に前記第２の配管が接続可能であり、前記第３および第４の継手のいずれか他方に前記往き配管および戻り配管のいずれか他方が接続可能な第２の三方弁と、
前記第１および第２の三方弁の間に配置されており、前記第１および第２の三方弁にシールして取り付けられており、前記第１の三方弁の前記第１の排出継手および前記第２の三方弁の前記第２の排出継手の各々に連通する孔を有し、かつ前記孔に連通するドレン排出路を有するシール保持部材とを備えた、ドレン排出ユニット。
【請求項２】
前記第１および第２の三方弁の弁体はボール弁であり、
前記シール保持部材は、前記第１および第２の三方弁の各々の前記ボール弁を支持している、請求項１に記載のドレン排出ユニット。
【請求項３】
請求項１または２に記載のドレン排出ユニットと、
浴槽と潜熱回収型の風呂給湯器との間で湯水を循環させるための第１および第２の配管を含む追焚配管とを備えたドレン排出装置であって、
前記第１および第２の配管の往き戻りを切り替えるとともに前記ドレンの排出と非排出とを切り替え可能なように、前記ドレン排出ユニットが前記追焚配管に接続されている、ドレン排出装置。
【請求項４】
前記第１および第２の三方弁のいずれか一方の内部を流れる湯水の状態を検出するための第１の検出部と、
前記第１の検出部の検出値に基づいて、前記第１および第２の配管の往き戻りの切り替え制御を行なうための制御部とを備えた、請求項３に記載のドレン排出装置。
【請求項５】
前記第１および第２の三方弁のいずれか他方の内部を流れる湯水の状態を検出するための第２の検出部をさらに備え、
前記制御部は、前記第１の検出部の検出値と前記第２の検出部の検出値との比較に基づいて前記第１および第２の配管の往き戻りを切り替えるように構成されている、請求項４に記載のドレン排出装置。
【発明の詳細な説明】
【技術分野】
【０００１】
本発明は、ドレン排出ユニットおよびドレン排出装置に関するものであり、特に、追焚配管に接続されるドレン排出ユニットおよびそれを備えたドレン排出装置に関するものである。
【背景技術】
【０００２】
従来、風呂給湯器と浴槽とを循環通路によって互いに接続し、循環ポンプの作動により浴槽内の湯水を風呂給湯器との間で強制循環させることで、浴槽内の湯水を追焚可能とした浴槽の風呂給湯システムが知られている。このシステムでは、往き配管と戻り配管とを有する追焚配管が浴槽に接続されている。
【０００３】
また給湯装置の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。このドレンは、ドレン回路により機器外部に排出され、あるいはタンクに溜められた後にポンプにより強制排出される。
【０００４】
上記のような追焚可能な給湯装置においては、追焚配管を利用してドレンを排出するドレン排出装置を施工時に往き配管を確認してから往き配管に接続する必要がある。そのため、取付施工に確認作業が必要となり、施工工程が煩雑になるとともに施工時間が長時間となるという問題があった。また施工時に間違って戻り配管にドレン排出装置が接続された場合、ドレンが浴槽内に排出されるという問題があった。
【０００５】
上記の問題を解決するために、追焚配管の往き戻りを確認せずに施工可能なように追焚配管を無極化したドレン排出装置がたとえば特開２００９−２２８９６２号公報（特許文献１）に開示されている。
【先行技術文献】
【特許文献】
【０００６】
【特許文献１】特開２００９−２２８９６２号公報
【発明の概要】
【発明が解決しようとする課題】
【０００７】
しかし、上記公報に記載の流路切り替えユニットには、４つの流路切り替え弁が必要であり、流路切り替えユニットが大型化してしまうため、特にユニットバスの浴槽エプロン内等の狭い空間には設置しにくいという問題がある。
【０００８】
本発明は、上記の課題を鑑みてなされたものであり、その目的は、施工時に追焚配管の往き戻りを確認せずに接続してもドレンが浴槽内に排出されず、かつ小型化できるドレン排出ユニットおよびそれを備えたドレン排出装置を提供することである。
【課題を解決するための手段】
【０００９】
本発明のドレン排出ユニットは、往き配管および戻り配管を有する潜熱回収型の風呂給湯器と浴槽との間で湯水を循環させるための第１および第２の配管を含む追焚配管に接続されるものである。本発明のドレン排出ユニットは、第１の三方弁と、第２の三方弁と、シール保持部材とを備えている。第１の三方弁は、第１および第２の継手ならびに第１の排出継手を有し、第１および第２の継手のいずれか一方に第１の配管が接続可能であり、第１および第２の継手のいずれか他方に往き配管および戻り配管のいずれか一方が接続可能である。第２の三方弁は、第３および第４の継手ならびに第２の排出継手を有し、第３および第４の継手のいずれか一方に第２の配管が接続可能であり、第３および第４の継手のいずれか他方に往き配管および戻り配管のいずれか他方が接続可能である。シール保持部材は、第１および第２の三方弁の間に配置されており、第１および第２の三方弁にシールして取り付けられており、第１の三方弁の第１の排出継手および第２の三方弁の第２の排出継手の各々に連通する孔を有し、かつ孔に連通するドレン排出路を有する。
【００１０】
本発明のドレン排出ユニットによれば、第１の三方弁および第２の三方弁に第１および第２の継手ならびに往き配管および戻り配管をそれぞれ接続することによって、追焚配管を無極化することができる。このため、施工時に追焚配管の往き戻りを確認せずに接続してもドレンが浴槽内に排出されないようにすることができる。
【００１１】
また、シール保持部材は、第１および第２の三方弁の間に配置されており、第１の排出継手および第２の排出継手の各々に連通する孔に連通するドレン排出路を有している。これにより、第１および第２の三方弁において、シール保持部材によってドレン排出路を兼用することができるため、ドレン排出ユニットを小型化することができる。
【００１２】
上記のドレン排出ユニットにおいて、第１および第２の三方弁の弁体はボール弁である。シール保持部材は、第１および第２の三方弁の各々のボール弁を支持している。これにより、シール保持部材はボール弁を確実に支持することができる。
【００１３】
本発明のドレン排出装置は、上記のドレン排出ユニットと、浴槽と潜熱回収型の風呂給湯器との間で湯水を循環させるための第１および第２の配管を含む追焚配管とを備えている。第１および第２の配管の往き戻りを切り替えるとともにドレンの排出と非排出とを切り替え可能なように、ドレン排出ユニットが追焚配管に接続されている。これにより、第１および第２の配管の往き戻りを切り替えるとともに、ドレンの排出と非排出とを切り替えることによって、施工時に第１および第２の配管の往き戻りを確認せずに第１および第２の配管にドレン排出ユニットを接続することができ、ドレン排出時にドレンが浴槽側へ流れることを防止することができる。また、ドレン排出ユニットを小型化することによって、ドレン排出装置を小型化することができる。
【００１４】
上記のドレン排出装置は、第１および第２の三方弁のいずれか一方の内部を流れる湯水の状態を検出するための第１の検出部と、第１の検出部の検出値に基づいて、第１および第２の配管の往き戻りの切り替え制御を行なうための制御部とを備えている。このため、第１の検出部により、第１および第２の三方弁のいずれか一方の内部を流れる湯水の状態を検出することができる。これにより、第１および第２の配管のどちらが風呂給湯器の往き配管および戻り配管のいずれに接続されているのかを知ることができる。そして制御部が、第１の検出部の検出値に基づいて第１および第２の配管の往き戻りの切り替え制御を行なうことで、第１および第２の配管のうち往き配管に接続された配管を往き側として制御し、かつ第１および第２の配管のうち戻り配管に接続された配管を戻り側として制御することができる。また制御部が、ドレン排出管へのドレンの排出および非排出の切り替え制御を行なうことで、ドレン排出時にドレンが浴槽側へ流れることを防止することができる。これにより、施工時に第１および第２の配管の往き戻りを確認することなく第１および第２の配管に風呂給湯器を接続することができ、風呂給湯器の取付施工を容易かつ短時間で行なうことが可能となる。
【００１５】
上記のドレン排出装置において、第１および第２の三方弁のいずれか他方の内部を流れる湯水の状態を検出するための第２の検出部をさらに備えている。制御部は、第１の検出部の検出値と第２の検出部の検出値との比較に基づいて第１および第２の配管の往き戻りを切り替えるように構成されている。このように第１の検出部の検出値と第２の検出部の検出値との比較に基づいて第１および第２の配管の往き戻りを切り替えることで、より正確に往き戻りの制御を行なうことが可能となる。
【発明の効果】
【００１６】
以上説明したように本発明によれば、施工時に追焚配管の往き戻りを確認せずに接続してもドレンが浴槽内に排出されず、かつ小型化できるドレン排出ユニットおよびそれを備えたドレン排出装置を実現することができる。
【図面の簡単な説明】
【００１７】
【図１】本発明の一実施の形態におけるドレン排出ユニットの構成を示す概略断面図である。
【図２】本発明の一実施の形態におけるドレン排出ユニットの構成を示す概略分解斜視図である。
【図３】図１に示すドレン排出ユニットのボール弁体の構成を示す概略斜視図である。
【図４】本発明の一実施の形態におけるドレン排出装置の構成を示す概略図である。
【図５】図４に示すドレン排出装置の制御部の構成を説明するための機能ブロック図である。
【図６】図４に示すドレン排出装置の循環運転時の様子を示す概略図である。
【図７】図４に示すドレン排出装置のドレン排出時の様子を示す概略図である。
【図８】図４の状態とは風呂給湯器の往き配管および戻り配管と追焚配管との接続が逆の構成を示す概略図である。
【図９】図８に示すドレン排出装置の循環運転時の様子を示す概略図である。
【図１０】図８に示すドレン排出装置のドレン排出時の様子を示す概略図である。
【図１１】追焚配管の往き戻り判定動作を示すフロー図である。
【図１２】ドレン排出動作を示すフロー図である。
【発明を実施するための形態】
【００１８】
以下、本発明の実施の形態について図に基づいて説明する。
まず、本発明の一実施の形態のドレン排出ユニットの構成を説明する。
【００１９】
図１および図２を参照して、本実施の形態のドレン排出ユニット３は、第１の三方弁３１と、第２の三方弁３２と、シール保持部材３３と、２つのモータＭとを主に有している。なお、図２では見やすくするためモータは記載していない。
【００２０】
第１の三方弁３１は、第１および第２の継手Ｊ１、Ｊ２と、第１の排出継手Ｄ１と、弁体ＶＡと、２つの弁体保持部材ＳＰと、２つのシールリングＳＬとを有している。第１および第２の継手Ｊ１、Ｊ２と、第１の排出継手Ｄ１とは、一体の空間を形成しており、弁体ＶＡによって、第１の継手Ｊ１に第２の継手Ｊ２または第１の排出継手Ｄ１が選択的に繋がるように形成されている。第１および第２の継手Ｊ１、Ｊ２は互いに略直角に配置されている。第２の継手Ｊ２および第１の排出継手Ｄ１は略一直線状に配置されている。第１および第２の継手Ｊ１、Ｊ２はそれぞれ開口部ＯＰを有している。第１の排出継手Ｄ１はシール保持部材３３と接続可能に形成されている。
【００２１】
弁体ＶＡは、第１および第２の継手Ｊ１、Ｊ２、第１の排出継手Ｄ１のそれぞれの間に配置されている。弁体ＶＡは、２つの弁体保持部材ＳＰに第２の継手Ｊ２側および第１の排出継手Ｄ１側から挟まれて保持されている。弁体ＶＡは２つの弁体保持部材ＳＰの内周面に摺動可能に配置されている。弁体ＶＡは第１の継手Ｊ１と反対側からモータＭのモータ回転軸ＭＳに接続されている。これにより、弁体ＶＡは、モータ回転軸ＭＳの回転によってモータ回転軸ＭＳの回転方向に回転可能に構成されている。なお、モータ回転軸ＭＳは第１の三方弁３１の筺体に２つの軸受ＯＬで支持されている。
【００２２】
第２の継手Ｊ２側に配置された弁体保持部材ＳＰの第２の継手Ｊ２側の面に接するように、第１の継手Ｊ１と第２の継手Ｊ２との間に一方のシールリングＳＬが配置されている。第１の排出継手Ｄ１側に配置された弁体保持部材ＳＰの第１の排出継手Ｄ１側の面に接するように、第１の継手Ｊ１と第１の排出継手Ｄ１との間に他方のシールリングＳＬが配置されている。第２の継手Ｊ２側に配置された弁体保持部材ＳＰは第１の三方弁３１の筺体およびシールリングＳＬに支持されている。第１の排出継手Ｄ１側に配置された弁体保持部材ＳＰはシール保持部材３３およびシールリングＳＬに支持されている。
【００２３】
第２の三方弁３２は、第３および第４の継手Ｊ３、Ｊ４と、第２の排出継手Ｄ２と、弁体ＶＡと、２つの弁体保持部材ＳＰと、２つのシールリングＳＬとを有している。第３および第４の継手Ｊ３、Ｊ４と、第２の排出継手Ｄ２とは、一体の空間を形成しており、弁体ＶＡによって、第３の継手Ｊ３に第４の継手Ｊ４または第２の排出継手Ｄ２が選択的に繋がるように形成されている。第３および第４の継手Ｊ３、Ｊ４は互いに略直角に配置されている。第４の継手Ｊ４および第２の排出継手Ｄ２は略一直線状に配置されている。第３および第４の継手Ｊ３、Ｊ４はそれぞれ開口部ＯＰを有している。第２の排出継手Ｄ２はシール保持部材３３と接続可能に形成されている。
【００２４】
弁体ＶＡは、第３および第４の継手Ｊ３、Ｊ４、第２の排出継手Ｄ２のそれぞれの間に配置されている。弁体ＶＡは、２つの弁体保持部材ＳＰに第４の継手Ｊ４側および第２の排出継手Ｄ２側から挟まれて保持されている。弁体ＶＡは２つの弁体保持部材ＳＰの内周面に摺動可能に配置されている。弁体ＶＡは第３の継手Ｊ３と反対側からモータＭのモータ回転軸ＭＳに接続されている。これにより、弁体ＶＡは、モータ回転軸ＭＳの回転によってモータ回転軸ＭＳの回転方向に回転可能に構成されている。なお、モータ回転軸ＭＳは第２の三方弁３２の筺体に２つの軸受ＯＬで支持されている。
【００２５】
第４の継手Ｊ４側に配置された弁体保持部材ＳＰの第４の継手Ｊ４側の面に接するように、第３の継手Ｊ３と第４の継手Ｊ４との間に一方のシールリングＳＬが配置されている。第２の排出継手Ｄ２側に配置された弁体保持部材ＳＰの第２の排出継手Ｄ２側の面に接するように、第３の継手Ｊ３と第２の排出継手Ｄ２との間に他方のシールリングＳＬが配置されている。第４の継手Ｊ４側に配置された弁体保持部材ＳＰは第２の三方弁３２の筺体およびシールリングＳＬに支持されている。第２の排出継手Ｄ２側に配置された弁体保持部材ＳＰはシール保持部材３３およびシールリングＳＬに支持されている。
【００２６】
図１および図３を参照して、第１および第２の三方弁３１、３２の弁体ＶＡはそれぞれボール弁である。弁体ＶＡは開口Ｖ１〜Ｖ３を有している。開口Ｖ１と開口Ｖ３とは互いに対向するように配置されており、開口Ｖ２は弁体ＶＡの底部と対向するように配置されている。開口Ｖ１と開口Ｖ２とは弁体ＶＡの中心に対して互いに略直角に配置されており、開口Ｖ２と開口Ｖ３とは弁体ＶＡの中心に対して互いに直角に配置されている。開口Ｖ１と開口Ｖ２とが連通するように弁体ＶＡ内に孔が形成されている。
【００２７】
第１の三方弁３１では、開口Ｖ１は第１の継手Ｊ１に連通し、開口Ｖ２は第２の継手Ｊ２または第１の排出継手Ｄ１に連通し、開口Ｖ３にはモータ回転軸Ｖ３が挿入されている。第２の三方弁３２では、開口Ｖ１は第３の継手Ｊ３に連通し、開口Ｖ２は第４の継手Ｊ４または第２の排出継手Ｄ２に連通し、開口Ｖ３にはモータ回転軸Ｖ３が挿入されている。
【００２８】
再び図１および図２を参照して、シール保持部材３３は、第１および第２の三方弁３１、３２の間に配置されている。シール保持部材３３は第１および第２の三方弁３１、３２と一直線状に並ぶ位置に位置する部分を有している。シール保持部材３３はたとえば一体物から構成されている。シール保持部材３３は、第１および第２の三方弁３１、３２にシールして取り付けられている。シール保持部材３３と第１の排出継手Ｄ１との間に第１のシール部材Ｓ１が両者の隙間を封止するように配置されており、シール保持部材３３と第２の排出継手Ｄ２との間に第２のシール部材Ｓ２が両者の隙間を封止するように配置されている。
【００２９】
シール保持部材３３は、第１の三方弁３１の第１の排出継手Ｄ１および第２の三方弁３２の第２の排出継手Ｄ２の各々に連通する孔３３ａを有しており、孔３３ａに連通するドレン排出路３３ｂを有している。ドレン排出路３３ｂは孔３３ａが延在する方向に略直角に形成されている。ドレン排出路３３ｂは孔３３ａが延在する方向の中央に形成されている。
【００３０】
シール保持部材３３の孔３３ａは、第１の三方弁３１の第２の継手Ｊ２および第１の排出継手Ｄ１ならびに第２の三方弁３２の第４の継手Ｊ４および第２の排出継手Ｄ２と略一直線状に配置されている。また、シール保持部材３３は、シールリングＳＬおよび弁体保持部材ＳＰを介して、第１および第２の三方弁３１、３２の各々のボール弁を支持している。
【００３１】
次に、本実施の形態のドレン排出ユニットを備えたドレン排出装置の構成を説明する。
図４を参照して、本実施の形態のドレン排出装置は、風呂給湯器１と浴槽４との間で湯水を循環させるためのドレン排出装置であって、風呂給湯器１と、ドレン排出ユニット３と、浴槽４と、浴槽循環アダプター４１と、追焚配管４２と、ドレン排出管４３とを主に有している。ドレン排出ユニット３は、潜熱回収型の風呂給湯器１と浴槽４との間で湯水を循環させるための追焚配管４２に接続されるものである。
【００３２】
風呂給湯器１は、風呂側熱交換器１１ａ、１２ａと、給湯側熱交換器１１ｂ、１２ｂと、ドレン受け１３ａ、１３ｂと、中和器１４と、ドレンタンク１５と、水位検知部１６と、制御部１７と、燃焼バーナ１８ａ、１８ｂと、送風機１９ａ、１９ｂと、循環ポンプ２０と、逆止弁２１と、注湯電磁弁２２と、電動三方弁２３と、電動二方弁２４と、検出部２５、２６と、往き配管２７ａと、戻り配管２７ｂと、配管２７ｃ〜２７ｆとを主に有している。
【００３３】
風呂側熱交換器１１ａ、１２ａおよび給湯側熱交換器１１ｂ、１２ｂのそれぞれは、潜熱回収型の熱交換器である。潜熱回収型の熱交換器では、従来排出していた熱交換後のガスが二次熱交換器へ通されることで二次熱交換器内の水が余熱される。この過程で燃焼ガスの温度が６０℃程度まで下がることで、燃焼ガス中に含まれる水分が凝縮して潜熱を得ることができる。
【００３４】
このため風呂側熱交換器１１ａ、１２ａは、一次熱交換器１１ａと、二次熱交換器１２ａとを有している。また給湯側熱交換器１１ｂ、１２ｂは、一次熱交換器１１ｂと、二次熱交換器１２ｂとを有している。
【００３５】
風呂側熱交換器において、一次熱交換器１１ａの一方端と二次熱交換器１２ａの一方端とは互いに接続されている。一次熱交換器１１ａの他方端には往き配管２７ａが接続されており、二次熱交換器１２ａの他方端には配管２７ｃが接続されている。一次熱交換器１１ａが二次熱交換器１２ａよりも燃焼バーナ１８ａの近くに配置されている。
【００３６】
また給湯側熱交換器においても、一次熱交換器１１ｂの一方端と二次熱交換器１２ｂの一方端とは互いに接続されている。一次熱交換器１１ｂの他方端には配管２７ｆが接続されており、二次熱交換器１２ｂの他方端には配管２７ｅが接続されている。一次熱交換器１１ｂが二次熱交換器１２ｂよりも燃焼バーナ１８ｂの近くに配置されている。
【００３７】
燃焼バーナ１８ａは、一次熱交換器１１ａおよび二次熱交換器１２ａとの間で熱交換を行なうための燃焼ガスを発生させるためのものである。また燃焼バーナ１８ｂは、一次熱交換器１１ｂおよび二次熱交換器１２ｂとの間で熱交換を行なうための燃焼ガスを発生させるためのものである。送風機１９ａ、１９ｂのそれぞれは燃焼バーナ１８ａ、１８ｂに対して燃焼に必要な空気を供給するためのものである。
【００３８】
潜熱回収型の熱交換器では、上記のとおり燃焼ガスの水蒸気を凝縮させる構造上、どうしても凝縮した水（ドレン）が発生するためドレンの排水が必要である。このため、ドレン受け１３ａ、１３ｂが、二次熱交換器１２ａ、１２ｂのそれぞれの下側に配置されている。
【００３９】
また排気ガス中には窒素酸化物などが含まれるため、これがドレンに溶け込んでドレンは酸性となる。中和器１４は、ドレン受け１３ａ、１３ｂで受けられた酸性のドレンを中和するためのものである。ドレンタンク１５は、中和器１４で中和されたドレンを貯留するためのものである。中和器１４とドレンタンク１５とは一体化されていてもよい。
【００４０】
ドレンタンク１５に取り付けられた水位電極Ｌ、Ｈは、ドレンタンク１５内におけるドレンの水位を検知するためのものである。この水位電極Ｌ、Ｈは、ドレンタンク１５内の低水位（Ｌ：低位）を検出するための電極部と、高水位（Ｈ：高位）を検出するための電極部である。水位電極Ｌ、Ｈの各々は、水位検知部１６に電気的に接続されている。
【００４１】
ドレンタンク１５には、配管２７ｄが接続されており、この配管２７ｄには逆止弁２１が取り付けられている。戻り配管２７ｂ、配管２７ｃおよび配管２７ｄの各々は電動三方弁２３に接続されている。戻り配管２７ｂには電動二方弁２４が取り付けられており、また戻り配管２７ｂと配管２７ｆとの各々は注湯電磁弁２２に接続されている。
【００４２】
往き配管２７ａには検出部２６が取り付けられている。また配管２７ｃには循環ポンプ２０と検出部２５とが取り付けられている。これらの検出部２５、２６の各々は、たとえばサーミスタであり、配管２７ａ、２７ｃの内部を流れる湯水の温度を測定することができる。
【００４３】
一方、浴槽循環アダプター４１は浴槽４に取付けられている。追焚配管４２は、第１の配管４２ａと、第２の配管４２ｂとを有している。第１および第２の配管４２ａ、４２ｂの各々の一方端は浴槽循環アダプター４１に接続されており、他方端はドレン排出ユニット３に接続されている。
【００４４】
ドレン排出ユニット３は、風呂給湯器１の往き配管２７ａおよび戻り配管２７ｂと、追焚配管４２の第１および第２の配管４２ａ、４２ｂと、ドレン排出管４３とに接続されている。ドレン排出ユニット３は、第１および第２の配管４２ａ、４２ｂの往き戻りを切り替えることができるとともに、ドレン排出管４３へのドレンの排出と非排出とを切り替えることができるように構成されている。
【００４５】
ドレン排出ユニットの第１の三方弁３１には、第１の配管４２ａと、配管４４ａと、シール保持部材３３とが接続されている。第２の三方弁３２には、第２の配管４２ｂと、配管４４ｂと、シール保持部材３３とが接続されている。この例では、配管４４ａは風呂給湯器１の往き配管２７ａに接続されており、配管４４ｂは風呂給湯器１の戻り配管２７ｂに接続されている。シール保持部材３３にはドレン排出管４３が接続されている。ドレン排出管４３は、浴槽４近傍に設けられた排水口を通じて排水路にドレンを排出できるように配置されている。
【００４６】
第１の三方弁３１は、第１および第２の継手Ｊ１、Ｊ２（図１）のいずれか一方に第１の配管４２ａが接続可能であり、第１および第２の継手Ｊ１、Ｊ２のいずれか他方に往き配管２７ａおよび戻り配管２７ｂのいずれか一方が接続可能である。第２の三方弁３２は、第３および第４の継手Ｊ３、Ｊ４（図１）のいずれか一方に第２の配管４２ｂが接続可能であり、第３および第４の継手Ｊ３、Ｊ４のいずれか他方に往き配管２７ａおよび戻り配管２７ｂのいずれか他方が接続可能である。
【００４７】
第１の三方弁３１の内部を流れる湯水の状態を検出するための検出部３４が第１の三方弁３１に取付けられている。また第２の三方弁３２の内部を流れる湯水の状態を検出するための検出部３５が第２の三方弁３２に取付けられている。上記の検出部３４、３５の各々は、たとえばサーミスタであり、第１および第２の三方弁３１、３２の内部を流れる湯水の温度を測定することができる。
【００４８】
上記の検出部２５、２６、３４、３５と、水位検知部１６と、循環ポンプ２０と、電動三方弁２３と、第１および第２の三方弁３１、３２と、注湯電磁弁２２と、電動二方弁２４との各々は、制御部１７に電気的に接続されている。
【００４９】
図５を参照して、制御部１７は、判定手段１７ａと、記憶手段１７ｂと、水位判定手段１７ｃと、制御手段１７ｄとを主に有している。判定手段１７ａは、上記の検出部２５、２６、３４、３５の各々の検出結果を受けて、その検出結果に基づいて追焚配管である第１および第２の配管４２ａ、４２ｂの往き戻りを判定するためのものである。記憶手段１７ｂは、判定手段による判定結果などを記憶するためのものである。
【００５０】
水位判定手段１７ｃは、水位検知部１６からの信号に基づいてドレンタンク１５内の水位が低水位（Ｌ：低位）か高水位（Ｈ：高位）かを判定するためのものである。制御手段１７ｄは、記憶手段１７ｂに記憶された往き戻りの判定結果、水位判定手段１７ｃによる判定結果などに基づいて、循環ポンプ２０と、電動三方弁２３と、第１および第２の三方弁３１、３２と、注湯電磁弁２２と、電動二方弁２４との動作を制御するためのものである。
【００５１】
なお制御手段１７ｄによる電動三方弁２３と、第１および第２の三方弁３１、３２と、電動二方弁２４との動作制御は、各弁に取付けられたモータ（図１において「Ｍ」と表記された部分）などの駆動源を制御することにより行われる。なお注湯電磁弁２２の駆動源はたとえばソレノイドである。
【００５２】
次に、上記のドレン排出装置における循環運転の状態とドレン排出の状態とについて図６および図７を用いて説明する。
【００５３】
図６を参照して、循環運転の際には、電動三方弁２３は戻り配管２７ｂと配管２７ｃとを繋ぎ、配管２７ｄからの流れを遮断する。また第１の三方弁３１は配管４４ａと第１の配管４２ａとを繋ぎ、シール保持部材３３への流れを遮断する。また第２の三方弁３２は配管４４ｂと第２の配管４２ｂとを繋ぎ、シール保持部材３３への流れを遮断する。この状態で循環ポンプ２０がＯＮ状態とされる。
【００５４】
循環ポンプ２０をＯＮさせることにより、図中矢印で示すように、浴槽４内の湯水は第２の配管４２ｂ、第２の三方弁３２、配管４４ｂ、戻り配管２７ｂ、電動二方弁２４、電動三方弁２３および配管２７ｃを通じて、一次および二次熱交換器１２ａ、１１ａで熱せられる。この熱せられた湯水は往き配管２７ａ、配管４４ａ、第１の三方弁３１および第１の配管４２ａを通じて浴槽４へ供給される。
【００５５】
図７を参照して、ドレン排出の際には、電動三方弁２３は配管２７ｄと配管２７ｃとを繋ぎ、戻り配管２７ｂへの流れを遮断する。また第１の三方弁３１は配管４４ａとシール保持部材３３とを繋ぎ、第１の配管４２ａへの流れを遮断する。また第２の三方弁３２は配管４４ｂと第２の配管４２ｂとを繋ぎ、シール保持部材３３への流れを遮断する。この状態で循環ポンプ２０がＯＮ状態とされる。
【００５６】
循環ポンプ２０をＯＮさせることにより、図中矢印で示すように、ドレンタンク１５内のドレンは配管２７ｄ、電動三方弁２３、配管２７ｃ、一次および二次熱交換器１２ａ、１１ａ、往き配管２７ａ、配管４４ａ、第１の三方弁３１、シール保持部材３３およびドレン排出管４３を通じて排水路に排出される。
【００５７】
次に、風呂給湯器１の取付施工後の追焚配管４２の往き戻り判定について図４〜図６、図８、図９および図１１を用いて説明する。
【００５８】
本実施の形態において既設の浴槽４に風呂給湯器１を取付施工した場合、図４に示すように風呂給湯器１の往き配管２７ａが第１の配管４２ａ側に接続され、かつ戻り配管２７ｂが第２の配管４２ｂ側に接続される場合と、図８に示すように風呂給湯器１の往き配管２７ａが第２の配管４２ｂ側に接続され、かつ戻り配管２７ｂが第１の配管４２ａ側に接続される場合とがある。
【００５９】
往き戻りの判定に際しては、風呂給湯器１の取付施工後の図４または図８の状態から各弁２３、３１、３２の状態が制御部１７により循環運転状態とされる（ステップＳ１１：図１１）。これにより、図４に示す状態は図６に示す状態となり、図８に示す状態は図９に示す状態となる。
【００６０】
具体的には図６および図９のいずれにおいても、電動三方弁２３は戻り配管２７ｂと配管２７ｃとを繋ぎ、配管２７ｄからの流れを遮断する。また第１の三方弁３１は配管４４ａと第１の配管４２ａとを繋ぎ、シール保持部材３３への流れを遮断する。また第２の三方弁３２は配管４４ｂと第２の配管４２ｂとを繋ぎ、シール保持部材３３への流れを遮断する。この状態から循環ポンプ２０がＯＮ状態とされる（ステップＳ１２：図１１）。
【００６１】
これにより図６においては、図中矢印で示すように、浴槽４内の湯水は第２の三方弁３２を通って一次および二次熱交換器１２ａ、１１ａに戻され、一次および二次熱交換器１２ａ、１１ａで加熱された湯水が第１の三方弁３１を通って浴槽４に供給される。一方、図９においては、図中矢印で示すように、浴槽４内の湯水は第１の三方弁３１を通って一次および二次熱交換器１２ａ、１１ａに戻され、一次および二次熱交換器１２ａ、１１ａで加熱された湯水が第２の三方弁３２を通って浴槽４に供給される。
【００６２】
この循環運転の状態で、第１および第２の三方弁３１、３２の少なくともいずれかの内部を流れる湯水の状態（温度）が検出部３４、３５により検知（測定）される（ステップＳ１３：図１１）。この湯水の状態の検知においては、第１および第２の三方弁３１、３２のいずれか一方のみの湯水の温度のみが検知されてもよい。この場合には、予め制御部１７に記憶されていた往き側の湯水の温度または戻り側の湯水の温度と検知された温度とを比較することにより、第１および第２の三方弁３１、３２の往き側、戻り側を判定することができる（ステップＳ１４：図１１）。また追焚時にユーザーが設定した温度と検知された温度とを比較することにより、第１および第２の三方弁３１、３２の往き側、戻り側が判定されてもよい。
【００６３】
たとえば第１の三方弁３１の検出部３４で検出された温度と予め制御部１７に記憶されていた往き側の湯水の温度との差が所定範囲内である場合には、第１の三方弁３１は往き配管２７ａ側に接続されていると判定することができる。逆に、第１の三方弁３１の検出部３４で検出された温度と予め制御部１７に記憶されていた往き側の湯水の温度との差が所定範囲より大きい場合には、第１の三方弁３１は戻り配管２７ａ側に接続されていると判定することができる。
【００６４】
また湯水の状態の検知においては、第１および第２の三方弁３１、３２の双方の内部を流れる湯水の状態（温度）が検知されてもよい。この場合には、第１および第２の三方弁３１、３２の双方で検知された温度同士を比較することにより、第１および第２の三方弁３１、３２の往き側、戻り側を判定することができる（ステップＳ１４：図１１）。たとえば往き側の湯水の温度は戻り側の湯水の温度よりも高い。このため、第１および第２の三方弁３１、３２のうち高い温度を検知された側を往き側、低い温度を検知された側を戻り側と判定することができる。
【００６５】
さらに湯水の状態の検知においては、往き配管２７ａに取付けられた検出部２６および配管２７ｃに取付けられた検出部２５の少なくともいずれかで検知された温度が用いられてもよい。つまり第１の三方弁３１の検出部３４または第２の三方弁３２の検出部３５で検知された温度が、往き配管２７ａの検出部２６および配管２７ｃの検出部２５の少なくともいずれかで検知された温度と比較されてもよい。
【００６６】
たとえば第１の三方弁３１の検出部３４で検出された温度が往き配管２７ａの検出部２６で検出された温度との間に所定の範囲内の温度差しかない場合には、第１の三方弁３１は往き配管２７ａ側に接続されていると判定することができる。逆に、第１の三方弁３１の検出部３４で検出された温度が往き配管２７ａの検出部２６で検出された温度との間に所定の範囲以上の温度差がある場合には、第１の三方弁３１は戻り配管２７ｂ側に接続されていると判定することができる。
【００６７】
また、たとえば第１の三方弁３１の検出部３４で検出された温度が配管２７ｃの検出部２５で検出された温度との間に所定の範囲内の温度差しかない場合には、第１の三方弁３１は戻り配管２７ｂ側に接続されていると判定することができる。逆に、第１の三方弁３１の検出部３４で検出された温度が配管２７ｃの検出部２５で検出された温度との間に所定の範囲以上の温度差がある場合には、第１の三方弁３１は往き配管２７ａ側に接続されていると判定することができる。
【００６８】
また第２の三方弁３２の検出部３５で検出された温度と、往き配管２７ａの検出部２６で検出された温度または配管２７ｃの検出部２５で検出された温度との比較においても上記同様にして、第２の三方弁３２が往き配管２７ａ側に接続されているのか、戻り配管２７ｂ側に接続されているのかを判定することができる。
【００６９】
上記の判定により得られた往き戻りの判定結果は、制御部１７の記憶手段１７ｂ（図５）に記憶される（ステップＳ１５：図１１）。その後、循環ポンプがＯＦＦ状態とされて（ステップＳ１６：図１１）、追焚配管４２の往き戻り判定が終了する。
【００７０】
次に、上記追焚配管４２の往き戻り判定後におけるドレンの排出動作について、図５、図７、図１０および図１２を用いて説明する。
【００７１】
まず図５、図１０および図１２を参照して、ドレン排出する動作においては、ドレンタンク１５内の水位の検知が水位電極Ｌ、Ｈおよび水位検知部１６により行われる（ステップＳ２１：図１２）。次に、検知されたドレンタンク１５内の水位が高水位（Ｈ）か否かの判定がなされる（ステップＳ２２：図１２）。この水位の判定は制御部１７の水位判定手段１７ｃ（図５）により行われる。
【００７２】
上記においてドレンタンク１５内の水位が高水位（Ｈ）でない場合には、再度、ドレンタンク１５内の水位が高水位（Ｈ）になるまでドレンタンク１５内の水位が検知される（ステップＳ２１：図１２）。またドレンタンク１５内の水位が高水位（Ｈ）である場合に各弁２３、３１、３２の状態がドレン排出状態に制御される（ステップＳ２３：図１２）。この各弁２３、３１、３２の制御は、制御部１７の記憶手段１７ｂに記憶されていた追焚配管４２の往き戻り判定結果に基づいて、制御手段１７ｄ（図２）により行なわれる。
【００７３】
具体的には、図７に示すように追焚配管４２の第１の配管４２ａが往き側に接続され、かつ第２の配管４２ｂが戻り側に接続されていると判定した場合には、第１の三方弁３１は配管４４ａとシール保持部材３３とを繋ぎ、第１の配管４２ａへの流れを遮断するように制御される。また第１の三方弁３２は配管４４ｂと第２の配管４２ｂとを繋ぎ、シール保持部材３３への流れを遮断する状態を維持するように制御される。また電動三方弁２３は配管２７ｄと配管２７ｃとを繋ぎ、戻り配管２７ｂへの流れを遮断するように制御される。
【００７４】
また図１０に示すように追焚配管４２の第１の配管４２ａが戻り側に接続され、かつ第２の配管４２ｂが往き側に接続されていると判定した場合には、第２の三方弁３２は配管４４ｂとシール保持部材３３とを繋ぎ、第２の配管４２ｂへの流れを遮断するように制御される。また第１の三方弁３１は配管４４ａと第１の配管４２ａとを繋ぎ、シール保持部材３３への流れを遮断する状態を維持するように制御される。また電動三方弁２３は配管２７ｄと配管２７ｃとを繋ぎ、戻り配管２７ｂへの流れを遮断するように制御される。
【００７５】
この後、循環ポンプ２０がＯＮ状態とされる（ステップＳ２４：図１２）。これによりドレンタンク１５内のドレンはドレンタンク１５から排出される。その後、図７の状態においてドレンは、図中の矢印で示すように電動三方弁２３、循環ポンプ２０、二次および一次熱交換器１２ａ、１１ａおよび第１の三方弁３１を順に通過して、シール保持部材３３を通ってドレン排出管４３から排水路に排水される。
【００７６】
また図１０の状態においてドレンは、図中の矢印で示すように電動三方弁２３、循環ポンプ２０、二次および一次熱交換器１２ａ、１１ａおよび第２の三方弁３２を順に通過して、シール保持部材３３を通ってドレン排出管４３から排水路に排水される。
【００７７】
この後、ドレンタンク１５内の水位が低水位（Ｌ）か否かの判定がなされる（ステップＳ２５：図１２）。ドレンタンク１５内の水位が低水位（Ｌ）でない場合には、ドレンタンク１５内のドレンの排出を続けながら、再度、ドレンタンク１５内の水位が低水位（Ｌ）か否かの判定がなされる（ステップＳ２５：図１２）。またドレンタンク１５内の水位が低水位（Ｌ）である場合には、循環ポンプ２０がＯＮ状態からＯＦＦ状態とされて（ステップＳ２６：図１２）、ドレンタンク１５内からのドレンの排出が停止される。
【００７８】
次に、本実施の形態の作用効果について説明する。
本実施の形態においては、図４および図８に示すようにドレン排出ユニット３が、風呂給湯器１の往き配管２７ａおよび戻り配管２７ｂと、追焚配管４２の第１および第２の配管４２ａ、４２ｂと、シール保持部材３３とに接続されている。
【００７９】
そして、本実施の形態のドレン排出ユニットにおいては、図４に示すように風呂給湯器１の往き配管２７ａが第１の配管４２ａ側に接続され、かつ戻り配管２７ｂが第２の配管４２ｂ側に接続されている場合、第１の三方弁３１の第１の継手Ｊ１に第１の配管４２ａが接続され、第２の継手Ｊ２に配管４４ａを介して往き配管２７ａが接続され、第２の三方弁３２の第３の継手Ｊ３に第２の配管４２ｂが接続され、第４の継手Ｊ４に配管４４ｂを介して戻り配管２７ｂが接続されている。
【００８０】
また図８に示すように風呂給湯器１の往き配管２７ａが第２の配管４２ｂ側に接続され、かつ戻り配管２７ｂが第１の配管４２ａ側に接続されている場合、第１の三方弁３１の第１の継手Ｊ１に第１の配管４２ａが接続され、第２の継手Ｊ２に配管４４ａを介して戻り配管２７ｂが接続され、第２の三方弁３２の第３の継手Ｊ３に第２の配管４２ｂが接続され、第４の継手Ｊ４に配管４４ｂを介して往き配管２７ａが接続されている。
【００８１】
このようにドレン排出ユニット３は、第１および第２の配管４２ａ、４２ｂの往き戻りを切り替えることができる。また、シール保持部材３３へのドレンの排出と非排出とを切り替えることができる。よって、施工時に追焚配管４２の往き戻りを確認せずに接続してもドレンが浴槽４内に排出されないようにすることができる。
【００８２】
また、シール保持部材３３は、第１および第２の三方弁３１、３２の間に配置されており、第１および第２の三方弁３１、３２にシールして取り付けられている。そして、シール保持部材３３は、第１の三方弁３１の第１の排出継手Ｄ１および第２の三方弁３２の第２の排出継手Ｄ２の各々に連通する孔３３ａを有し、かつ孔３３ａに連通するドレン排出路３３ｂを有している。これにより、第１および第２の三方弁３１、３２において、シール保持部材３３によってドレン排出路３３ｂを兼用することができるため、ドレン排出ユニットを小型化することができる。
【００８３】
また、シール保持部材３３は、第１および第２の三方弁３１、３２の各々のボール弁を支持している。これにより、シール保持部材３３はボール弁を確実に支持することができる。
【００８４】
本実施の形態のドレン排出装置においては、ドレン排出ユニット３によって、第１および第２の配管４２ａ、４２ｂの往き戻りを切り替えるとともにドレンの排出と非排出とを切り替えることができる。よって、施工時に第１および第２の配管４２ａ、４２ｂの往き戻りを確認せずに第１の配管４２ａ、４２ｂにドレン排出ユニットを接続することができ、ドレン排出時にドレンが浴槽４内に排出されないようにすることができる。また、ドレン排出ユニット３を小型化することによって、ドレン排出装置を小型化することができる。
【００８５】
また、ドレン排出ユニット３に取付けられた検出部３４、３５により、ドレン排出ユニット３の内部を流れる湯水の状態を検出することができる。これにより、第１および第２の配管４２ａ、４２ｂのどちらが風呂給湯器１の往き配管２７ａおよび戻り配管２７ｂのいずれに接続されているのかを図１１に示す往き戻り判定により知ることができる。そして制御部１７が、検出部３４、３５の検出値に基づいて第１および第２の配管４２ａ、４２ｂの往き戻りの切り替え制御を図６、図７、図９および図１０に示すように行なうことで、第１および第２の配管４２ａ、４２ｂのうち往き配管２７ａに接続された配管を往き側として制御し、かつ第１および第２の配管４２ａ、４２ｂのうち戻り配管２７ｂに接続された配管を戻り側として制御することができる。
【００８６】
また制御部１７が、ドレン排出管４３へのドレンの排出および非排出の切り替え制御を行なうことで、図７、図１０に示すようにドレン排出時にドレンが浴槽４側へ流れることを防止することができる。これにより、施工時に第１および第２の配管４２ａ、４２ｂの往き戻りを確認することなく第１および第２の配管４２ａ、４２ｂに風呂給湯器１を接続することができる。よって、風呂給湯器１の取付施工を容易かつ短時間で行なうことが可能となる。
【００８７】
また検出部３４、３５により、第１および第２の三方弁３１、３２の内部を流れる湯水の状態（温度）を検出できるように構成されている。検出部３４、３５の検出結果に基づいて、電動三方弁３１、３２が往き側に接続されているのか戻り側に接続されているのかを図１１に示すように知ることができる。
【００８８】
また図４に示すように、第１および第２の三方弁３１、３２の双方に検出部３４、３５が設けられており、これら２つの検出部３４、３５の検出値の比較に基づいて第１および第２の配管４２ａ、４２ｂの往き戻りを切り替えることで、より正確に往き戻りの制御を行なうことが可能となる。
【００８９】
また図４に示すように、風呂給湯器１の往き配管２７ａおよび戻り配管２７ｂのいずれか一方の内部を流れる湯水の状態を検出できるように構成された検出部２５、２６が設けられている。制御部１７は、検出部３４または３５の検出値と検出部２５または２６の検出値との比較に基づいて第１および第２の配管４２ａ、４２ｂの往き戻りを切り替えることで、より正確に往き戻りの制御を行なうことが可能となる。
【００９０】
なお上記においては、検出部３４、３５、２５、２６の各々がサーミスタであり湯水の温度を測定する場合について説明したが、湯水の状態として水流を検知する水流スイッチ、または水量を検知する水量センサであってもよい。
【００９１】
また上記においては、弁体ＶＡがボール弁体からなる構成について説明したが、弁体ＶＡは、風呂給湯器１の往き配管２７ａおよび戻り配管２７ｂと、追焚配管４２の第１および第２の配管４２ａ、４２ｂと、シール保持部材３３とに接続され、かつ第１および第２の配管４２ａ、４２ｂの往き戻りを切り替えることができるとともに、シール保持部材３３へのドレンの排出と非排出とを切り替えることができるものであれば、上記の構成に限定されるものではない。
【００９２】
なお、本実施の形態においては、風呂側熱交換器１１ａ、１２ａおよび給湯側熱交換器１１ｂ、１２ｂの双方が潜熱回収型の熱交換器の場合について説明したが、風呂側熱交換器および給湯側熱交換器のいずれか一方が潜熱回収型の熱交換器であればよい。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９４】
１  風呂給湯器、３  ドレン排出ユニット、４  浴槽、１１ａ，１１ｂ  一次熱交換器、１２ａ，１２ｂ  二次熱交換器、１３ａ、１３ｂ  ドレン受け、１４  中和器、１５  ドレンタンク、１６  水位検知部、１７  制御部、１７ａ  判定手段、１７ｂ  記憶手段、１７ｃ  水位判定手段、１７ｄ  制御手段、１８ａ，１８ｂ  燃焼バーナ、１９ａ  送風機、２０  循環ポンプ、２１  逆止弁、２２  注湯電磁弁、２３  電動三方弁、２４  電動二方弁、２５，２６，３２，３４，３５  検出部、２７ａ  往き配管、２７ｂ  戻り配管、２７ｃ〜２７ｆ  配管、３１  第１の三方弁、３２  第２の三方弁、３３  シール保持部材、３３ａ  孔、３３ｂ  ドレン排出路、４１  浴槽循環アダプター、４２  追焚配管、４２ａ  第１の配管、４２ｂ  第２の配管、４３  ドレン排出管、Ｄ１  第１の排出継手、Ｄ１  第２の排出継手、Ｊ１  第１の継手、Ｊ２  第２の継手、Ｊ３  第３の継手、Ｊ４  第４の継手、Ｌ，Ｈ  水位電極、Ｍ  モータ、Ｓ１  第１のシール部材、Ｓ２  第２のシール部材、ＳＬ  シールリング、ＳＰ  弁体保持部材、ＶＡ  弁体。
【図１】
2015025598.tif 000003
【図２】
2015025598.tif 000004
【図３】
2015025598.tif 000005
【図４】
2015025598.tif 000006
【図５】
2015025598.tif 000007
【図６】
2015025598.tif 000008
【図７】
2015025598.tif 000009
【図８】
2015025598.tif 000010
【図９】
2015025598.tif 000011
【図１０】
2015025598.tif 000012
【図１１】
2015025598.tif 000013
【図１２】
2015025598.tif 000014